(57)【特許請求の範囲】
【請求項１】
エアゾール缶内残存ガスの排出を、エアゾール缶上部へ嵌合させた内外二重周壁付きキャップの頂壁の内外両周壁間部分の破断で形成した有頂内周壁部分を、エアゾール缶から起立する液体噴出部と共に液体噴出位置まで押下げて、上記内周壁13をエアゾール缶頂壁から起立する囲成筒２へ嵌合させて行うエアゾール缶において、
上記液体噴出部を形成するノズル付き押下げヘッド６の下部外径を、上記内周壁13の内径とほぼ同径とすると共に該内周壁13の下端外面に係合突条14を付設し、上記液体噴出位置まで液体噴出部を有頂内周壁13a と共に押下げたとき、上記係合突条14が囲成筒２の下部内面に形成した凹部４内へ嵌合すると共に、内周壁13下部を囲成筒２内面と押下げヘッドの外面とが挟持可能に形成した
ことを特徴とする液体噴出エアゾール缶。
【請求項２】
上記キャップの内外両周壁上端間の頂壁部分に周設した破断用弱化線から外周壁上端までの頂壁部分下面および外周壁の内面へ上面および外側面を接続させて複数の補強板を縦設させ、これ等各補強板の下端面をエアゾール缶上面外周から起立する囲成筒上面へ載置させた
ことを特徴とする、請求項１記載の液体噴出エアゾール缶。
【発明の詳細な説明】
【技術分野】
【０００１】
本発明は、液体噴出終了後における残存ガスの排出が容易かつ確実であるよう設けた液体噴出エアゾール缶に関する。
【背景技術】
【０００２】
エアゾール缶上部へ嵌合させるキャップを内外二重周壁とし、該キャップ頂壁の内外二重周壁間を破断して、該破断により形成された有頂の内周壁部分を介して、ノズル付き押下げヘッド等の液体噴出部を液体噴出位置まで押下げ、該押下げ状態を液体噴出位置まで押下げ、該押下げ状態を、上記有頂内周壁の周壁下部をエアゾール缶上面外周から起立する囲成筒へ嵌合させて維持させることでエアゾール缶内残存ガスを排出することが知られている（特許文献１）。
【特許文献１】特開２００２−５３１８７号公報
【発明の開示】
【発明が解決しようとする課題】
【０００３】
上記従来例は、内外二重周壁付きキャップの頂壁破断により形成した有頂内周壁の周壁下部をエアゾール缶上面外周から起立する囲成筒へ嵌合させることでその有頂内周壁の頂壁でステム等液体噴出部を液体噴出位置まで押下げるから、その液体噴出部内から排出された残存ガスが有頂内周壁内に充満して高圧化し易く、該充満ガス排出が何等かの原因で不完全の場合はその有頂内周壁が上記囲成筒から外れ、すると上記ステムは下方への押下げから解放されることで弾性復帰して残存ガスの排出を停止することとなるものであった。
【０００４】
本発明は上記有頂内周壁押下げ時にその内周壁下部が押下げヘッドの下部外面と上記囲成筒内面との間で挟持されると共に、内周壁の下部外面へ付設した係合突条が囲成筒の下部内面に形成した凹部内へ入って、上記有頂内周壁内が高圧化しても該高圧化によっては囲成筒から離脱することがないよう設けたものである。
【課題を解決するための手段】
【０００５】
第１の手段としてエアゾール缶内残存ガスの排出を、エアゾール缶上部へ嵌合させた内外二重周壁付きキャップの頂壁の内外両周壁間部分の破断で形成した有頂内周壁部分を、エアゾール缶から起立する液体噴出部と共に液体噴出位置まで押下げて、上記内周壁13をエアゾール缶頂壁から起立する囲成筒２へ嵌合させて行うエアゾール缶において、
上記液体噴出部を形成するノズル付き押下げヘッド６の下部外径を、上記内周壁13の内径とほぼ同径とすると共に該内周壁13の下端外面に係合突条14を付設し、上記液体噴出位置まで液体噴出部を有頂内周壁13a と共に押下げたとき、上記係合突条14が囲成筒２の下部内面に形成した凹部４内へ嵌合すると共に、内周壁13下部を囲成筒２内面と押下げヘッドの外面とが挟持可能に形成した。
第２の手段として、上記第１の手段を有すると共に上記キャップの内外両周壁上端間の頂壁部分に周設した破断用弱化線から外周壁上端までの頂壁部分下面および外周壁の内面へ上面および外側面を接続させて複数の補強板を縦設させ、これ等各補強板の下端面をエアゾール缶上面外周から起立する囲成筒上面へ載置させた。
【発明の効果】
【０００６】
請求項１記載のようにすることで、有頂内周壁内が高圧化して該高圧化により上方へ抜出ししようとしても、内周壁下部は押下げヘッドの下部外面と囲成筒内面との間で挟持され、しかも内周壁の下端外面の係合突条が囲成筒の下部内面の凹部内へ嵌合しているから、その高圧化で有頂内周壁が囲成筒から外れることはない。即ち、内周壁下端外面の係合突条が囲成筒内面の凹部内から囲成筒上方へ抜出すためには、その係合突条を有する内周壁が内方へ縮径することが必要となるが、内周壁内面は押下げヘッドの大外径筒部外面へ接しているため縮径できず、よって係合突条が囲成筒から上方へ抜出すことは出来ないこととなる。よって押下げヘッド下部外面と内周壁との間、又内周壁と囲成筒内面との間の隙間、又有頂内周壁に穿設したガス排出孔等を通って上記高圧ガスは排出される。
【０００７】
請求項２のようにすることで、内周壁上面を閉塞する頂壁部分と頂壁外周部との間の頂壁部分に周設した弱化線破断のため、内周壁上面を閉塞する頂壁部分押下げの際、弱化線外方の頂壁部分を複数補強板が支持するため、上記内周壁上面を閉塞する頂壁部分と共に押下げられることはなく、よってその押下げによる破断を容易に行うことが出来る。
【発明を実施するための最良の形態】
【０００８】
まず、図１から図３が示す第１実施形態について説明すると、１はエアゾール缶でその上面外周からは公知のように囲成筒２が起立させてあり、該囲成筒の中間部外面には凹溝３が周設させてあり、又囲成筒の下部内面にも凹部４が周設させてあり、又エアゾール缶上面の中央部は隆起部５とし、かつ該隆起部上面からはエアゾール缶内から上方付勢させてステムを起立し、該ステム上端にノズル付き押下げヘッド６が嵌合させてある。該押下げヘッドを付勢に抗して押下げすることで、上記ステム内を通り、又押下げヘッドに穿設したノズル孔を通ってエアゾール缶内液体が噴出され、押下げヘッドを離すことでステムは上方へ弾性復帰し、液体噴出は停止する。
【０００９】
本発明にあっては押下げヘッド６の下部を大外径筒部７として囲成筒２の上部内面よりも僅かに小径としている。その大外径筒部７は上方周壁部分下端から、外向きフランジを介して大外径筒部７を垂下させ、押下げヘッド６は合成樹脂材で一体成形している。その大外径筒部７は弾性変形可能としている。
【００１０】
11は、内外二重周壁を有するキャップで、外周壁12の下部内面を囲成筒２の上部外面へ嵌合させており、又内周壁13を押下げヘッドの大外径筒部７の上部外面へ嵌合させており、その内周壁13の下端部外面へは係合突条14を付設している。又頂壁15の内外両周壁間部分、図示例では内周壁外面の上方部分に複数連結片16付きの割溝17を周設して破断用弱化線18としている。又その弱化線18から外周壁上端までの頂壁部分の下面および外周壁12内面へ、上面および外側面を接続させて複数の補強板19をほぼ等間隔に縦設させ、これ等各補強板の下端面を囲成筒２上面へ載置させている。更に内周壁13上面を閉塞する頂壁部分中心からは押え棒20を垂下させている。
【００１１】
エアゾール缶１内の残存ガス排出の際は、図３が示すように既述弱化線18を、内周壁上面を閉塞する頂壁部分押下げにより破断し、そのままその有頂内周壁13a を押下げする。その押下げの際、図示例にあってはまず内周壁13下端外面の係合突条14の下外面が囲成筒２の上部内面へ圧接し、するとその係合突条14を有する内周壁13下端部が小内径化することで押下げヘッド６の大外径筒部７をその弾性に抗して縮径させることとなり、そのまま囲成筒２および大外径筒部７に対して内周壁13が下降して上記係合突条14が囲成筒２の下部内へ入り、又内周壁13下端が大外径筒部７下方へ露出したとき、押え棒20が押下げヘッド６上面に接して押下げする。押下げヘッドが液体噴出位置まで下降したとき、図３が示すように内周壁13の下部は囲成筒２の上部内面と押下げヘッド６の大外径筒部外面との間で挟持され、かつこのとき内周壁13下端外面の係合突条14は囲成筒２の下部内面に形成した凹部４内へ嵌合するよう設ける。有頂内周壁13a の一部には残存ガス排出孔を設けるとよく、又該排出孔に代えて内周壁と押下げヘッド大外径部との間、および内周壁と囲成筒２との間に残存ガス排出溝を設けてもよい。図３では有頂内周壁13a の頂壁部分から垂設した押え棒20で押下げヘッド６を下限まで押下げているが、その押え棒は必ずしも必要ではなく、有頂内周壁13a の頂壁部分で直接押下げることも出来る。
【００１２】
図４はキャップ頂壁15の外周部よりも内周壁13上面を閉塞する頂壁部分を低く形成した例を示す。このようにすることで頂壁外周部が防御筒を形成することとなり、他物が直接内周壁13上面の頂壁部分を押下げ、弱化線18を破断するおそれを減少できる。又図５は既述弱化線18を薄肉部で形成した例を示す。
【図面の簡単な説明】
【００１３】
【図１】キャップ嵌合状態を示す、エアゾール缶上部の断面図である。
【図２】図１缶の平面図である。
【図３】図１状態からキャップ頂壁に周設した弱化線破断により、有頂内周壁を押下げヘッドと共に下限まで押下げた状態を示す断面図である。
【図４】第２実施形態で示すキャップ付きエアゾール缶の断面図である。
【図５】第３実施形態で示すキャップ付きエアゾール缶の平面図である。
【符号の説明】
【００１４】
１  エアゾール缶        ２  囲成筒
４  凹部                ６  押下げヘッド
７  大外径筒部          11  キャップ
12  外周壁              13  内周壁
13a 有頂内周壁          15  頂壁
18  弱化線              19  補強板
20  押え棒
【図１】
0004678681.tif 000002
【図２】
0004678681.tif 000003
【図３】
0004678681.tif 000004
【図４】
0004678681.tif 000005
【図５】
0004678681.tif 000006